(57)【要約】      （修正有）【課題】医薬品の服用忘れ等の防止に役立つ情報通知システムを提供する。【解決手段】第１の通信装置１と第２の通信装置４とを備え、第１の通信装置１は、記憶媒体２から連絡先情報を読み取り、連絡先情報に基づき第１の処方薬情報を送信する。第２の通信装置４は、第１の処方薬情報を受信し、第１の処方薬情報に含まれた第１の服用時刻情報と現在日時情報との比較に基づく第１の服用案内の出力タイミングにより、第１の服用案内を出力する。【選択図】図１
2016031676.tif 000002
【特許請求の範囲】
【請求項１】
記憶媒体から連絡先情報を読み取り、前記連絡先情報に基づき第１の処方薬情報を送信する第１の通信装置と、
前記第１の処方薬情報を受信し、前記第１の処方薬情報に含まれた第１の服用時刻情報と現在日時情報との比較に基づく第１の服用案内の出力タイミングにより、前記第１の服用案内を出力する第２の通信装置と、
を備える情報通知システム。
【請求項２】
前記第２の通信装置は、前記第１の処方薬情報に含まれた第１の服用開始日情報、第１の服用期間情報、及び前記第１の服用時刻情報と現在日時情報との比較に基づき前記第１の服用案内の出力タイミングを制御する請求項１の情報通知システム。
【請求項３】
前記第２の通信装置は、前記出力タイミングの制御に基づき前記第１の服用案内に含まれた１回あたりの服用量情報を出力する請求項１又は２の情報通知システム。
【請求項４】
前記第１の通信装置は、前記記憶媒体からジェネリック医薬品の優先利用の有無を示すジェネリック医薬品優先利用情報を読取り、前記ジェネリック医薬品優先利用情報を出力し、出力後に入力される前記第１の処方薬情報を送信する請求項１乃至３の何れか１つの情報通知システム。
【請求項５】
前記第１の通信装置は、前記記憶媒体からアレルギー情報を読取り、前記アレルギー情報に基づきアレルギーの有無を判定し、アレルギー有りの判定に基づき前記アレルギー情報に対応して服用が制限される第１の医薬品リストを出力し、出力後に入力される前記第１の処方薬情報を送信する請求項１乃至４の何れか１つの情報通知システム。
【請求項６】
前記第１の通信装置は、入力される前記第１の処方薬情報が示す前記第１の処方薬が前記第１の医薬品リストに含まれる場合には警告を出力する請求項１乃至５の何れか１つの情報通知システム。
【請求項７】
前記第１の通信装置は、前記記憶媒体から医薬品の副作用履歴情報を読取り、前記副作用履歴情報に基づき副作用履歴の有無を判定し、副作用履歴有りの判定に基づき前記副作用履歴情報に対応して服用が制限される第２の医薬品リストを出力し、出力後に入力される前記第１の処方薬情報を送信する請求項１乃至６の何れか１つの情報通知システム。
【請求項８】
前記第１の通信装置は、入力される前記第１の処方薬情報が示す前記第１の処方薬が前記第２の医薬品リストに含まれる場合には警告を出力する請求項１乃至７の何れか１つの情報通知システム。
【請求項９】
前記第１の通信装置は、前記記憶媒体から病気履歴情報を読取り、前記病気履歴情報に基づき病気履歴の有無を判定し、病気履歴有りの判定に基づき前記病気履歴情報に対応して服用が制限される第３の医薬品リストを出力し、出力後に入力される前記第１の処方薬情報が示す前記第１の処方薬が前記第３の医薬品リストに含まれる場合には警告を出力する請求項１乃至８の何れか１つの情報通知システム。
【請求項１０】
記憶媒体から連絡先情報を読み取り、前記連絡先情報に基づき第１の処方薬情報を送信し、
前記第１の処方薬情報を受信し、前記第１の処方薬情報に含まれた第１の服用時刻情報と現在日時情報との比較に基づく前記第１の服用案内の出力タイミングにより、前記第１の服用案内を出力する情報通知方法。
【発明の詳細な説明】
【技術分野】
【０００１】
本発明の実施形態は、情報通知システム及び情報通知方法に関する。
【背景技術】
【０００２】
調剤薬局等において、薬剤師は、医師からの処方箋に従い処方薬を調剤する。この際、薬剤師は、ジェネリック医薬品の優先利用の有無、アレルギーの有無、副作用履歴、及び病気の履歴等を考慮しながら、適切な処方薬を調剤する。その上で、薬剤師は、処方薬の購入者に対して、処方薬の服用方法等を説明し、処方薬を手渡す。購入者等は、薬剤師から指示された服用方法に従い処方薬を服用する。例えば、購入者等は、指定された期間（例えば３日間）にわたり、指定された時間（例えば毎食後（朝食、昼食、夕食後））に、指定された分量（例えば２錠）を服用する。
【０００３】
また、医療機関等においては、医師からの指示に基づき、看護師等が、指定された期間にわたり、指定された時間に、指定された分量を患者へ投与する。
【先行技術文献】
【特許文献】
【０００４】
【特許文献１】特表２００７−５１４２０７
【発明の概要】
【発明が解決しようとする課題】
【０００５】
上記の通り、処方薬の購入者等は、医薬品を受け取る際に、医薬品の服用方法等の説明を聞いているものの、指定された時間での服用を忘れたり、指定された分量と異なる分量を服用したりすることがあり、これらを防止するためのサービスが望まれている。
【０００６】
また、医療機関等からも、看護師等が指定された時間に指定された分量を患者へ投与することを忘れないような防止策が望まれている。
【０００７】
また、上記の通り、薬剤師には、ジェネリック医薬品の優先利用の有無、アレルギーの有無、副作用履歴、及び病気の履歴等を考慮した適切な医薬品を調剤することが求められており、不適切な医薬品の調剤を防止するための技術も望まれている。
【０００８】
本発明の目的は、医薬品の服用忘れ等の防止に役立つ情報通知システム及び情報通知方法を提供することである。
【課題を解決するための手段】
【０００９】
実施形態の一例の情報通知システムは、第１の通信装置と第２の通信装置とを備える。前記第１の通信装置は、記憶媒体から連絡先情報を読み取り、前記連絡先情報に基づき第１の処方薬情報を送信する。前記第２の通信装置は、前記第１の処方薬情報を受信し、前記第１の処方薬情報に含まれた第１の服用時刻情報と現在日時情報との比較に基づく第１の服用案内の出力タイミングにより、前記第１の服用案内を出力する。
【図面の簡単な説明】
【００１０】
【図１】実施形態に係るＩＣカードシステム（別称、スマートカードシステム）の概略構成を示すブロック図である。
【図２】実施形態に係るリーダライタの概略構成を示すブロック図である。
【図３】実施形態に係るＩＣカードの概略構成を示すブロック図である。
【図４】ＩＣカードのデータメモリに記憶されるファイル構成の一例を示す図である。
【図５】ＩＣカードの読取り処理の一例を示す図である。
【図６Ａ】服用が制限される医薬品リストの表示の一例を示す図である。
【図６Ｂ】服用が制限される医薬品リストの表示の一例を示す図である。
【図７】実施形態に係る情報通知システムの概要を示す図である。
【発明を実施するための形態】
【００１１】
以下、実施形態について図面を参照して説明する。
【００１２】
医薬品の服用には、医薬品の副作用や飲み合わせのリスクが存在する。医療機関や薬局で市販薬やサプリメントを販売する際、薬剤師がお薬手帳の情報などから利用者のアレルギーや副作用歴の有無、病歴などを確認し、処方の可否を判断し、適切な医薬品を調剤する。また、薬剤師は、調剤した薬の服用方法を説明し、服用者は服用方法を守り、薬を服用することが重要である。
【００１３】
本実施形態では、ＩＣカード等の記憶媒体、記憶媒体から情報を読み取るカードリーダ等の情報処理装置（第１の通信装置）、サーバ等を介して情報処理装置から送信される情報を受信し受信した情報を出力（表示）するスマートフォン等の情報出力装置（第２の通信装置）により、不適切な調剤を防止したり、医薬品の服用忘れを防止したり、患者への投与忘れを防止したりする情報通知システムについて説明する。
【００１４】
図１は、実施形態に係る情報通知システムの概略構成を示すブロック図である。図１に示すように、情報通知システムは、端末１、ＩＣカード２（記憶媒体）、サーバ３、及び情報出力端末４により構成される。例えば、端末１は、医療機関又は調剤薬局等に設置される。例えば、ＩＣカード２は、医薬品を購入する（受け取る）ユーザ又は医薬品を服用するユーザが個人所持するものである。或いは、ＩＣカード２は、医療機関が患者別に用意し管理するものである。例えば、サーバ３は、メールサーバである。例えば、情報出力端末４は、スマートフォン又はタブレットＰＣである。
【００１５】
端末１は、制御部１１、ディスプレイ１２、キーボード１３、リーダライタ１４、通信部１５を備えている。端末１のリーダライタ１４は、ＩＣカード２と通信可能に構成されており、端末１はＩＣカード２に対してデータを送信したり（書き込んだり）、ＩＣカード２からのデータを受信したり（読み込んだり）する。
【００１６】
例えば、キーボード１３は、オペレータ（薬剤師や看護師等の医療関係者）からの文字や数字等の情報の入力を受付け、制御部１１に対して入力情報を通知し、制御部１１は、リーダライタ１４を介して入力情報をＩＣカード２へ送信する（書き込む）。また、制御部１１は、リーダライタ１４により受信されたＩＣカード２のデータをディスプレイ１２へ出力し、ディスプレイ１２はＩＣカード２のデータを表示する。通信部１５は、サーバ３と通信し、メール等を送受信する。
【００１７】
なお、ＩＣカード２は、接触式のカード、非接触式のカード（無線カード）、及び非接触式と接触式の両者をサポートするコンビ型のカードのいずれであってもよい。
【００１８】
情報出力端末４は、制御部４１、記憶部４２、通信部４３、表示部４４、スピーカ４５を備える。通信部４３は、制御部４１の制御に基づき、サーバ３等の外部装置と通信し、現在日時情報を受信したり、メールを受信したり、各種アプリケーションをダウンロードしたりする。記憶部４２は、受信した現在日時情報を記憶したり、メールを記憶したり、ダウンロードした各種アプリケーションを記憶したりする。制御部４１は、ダウンロードした各種アプリケーションを実行し、表示部４４は、各種アプリケーションの実行に対応する情報を表示し、スピーカ４５は、各種アプリケーションの実行に対応する情報を音声出力する。
【００１９】
図２は、実施形態に係るリーダライタの概略構成を示すブロック図である。図２に示すように、リーダライタは、通信Ｉ／Ｆ１４２、ＣＰＵ１４３、データメモリ（不揮発性メモリ）１４４、ＲＡＭ１４５、ＲＯＭ１４６を備えている。ＣＰＵ１４３は、ＩＣカード２に対してコマンド等の各種情報の送信を制御したり、ＩＣカード２からの応答を検出したりする。
【００２０】
図３は、実施形態に係るＩＣカードの概略構成を示すブロック図である。図３に示すように、ＩＣカード２は、例えばプラスティックカード（基材）２ａにより構成され、ＩＣモジュール２０（ＩＣチップ）を備え、ＩＣモジュール２０は、通信Ｉ／Ｆ２０１、ＣＰＵ２０４、データメモリ（ＥＥＰＲＯＭ、ＦＲＡＭ（登録商標）、ＦＬＡＳＨ等の不揮発性メモリ）２０５、ＲＡＭ２０６、ＲＯＭ２０７を備えている。なお、携帯可能電子装置の一例として、上記したようなＩＣカード２について説明するが、本実施形態はこれに限定されるものではない。例えば、携帯可能電子装置は、ＳＩＭ形状のＩＣカードであってもよい。
【００２１】
ＲＡＭ２０６は、ワーキングメモリとして機能する。ＲＯＭ２０７は、ＣＰＵ２０４により実行されるＩＣカードプログラムを保持する。ＣＰＵ２０４は、ＲＯＭ２０７に記憶されたＩＣカードプログラム等に基づき動作する。また、ＣＰＵ２０４は、データメモリ２０５又はＲＡＭ２０６に記憶されたデータを読み出したり、データメモリ２０５又はＲＡＭ２０６に対してデータを書き込んだり、さらには、通信Ｉ／Ｆ２０１を介して受信したコマンド（端末１から送信されたコマンド）を解釈し実行したり、通信Ｉ／Ｆ２０１を介して端末１に対してコマンド実行結果の返信を制御したりする。
【００２２】
例えば、データメモリ２０５は、主ファイル（Main File、ＭＦと略記）、主ファイルに属する複数の専用ファイル（Dedicated File、ＤＦと略記）、及び各専用ファイルに属する基礎ファイル（Elementary File、ＥＦと略記）を記憶する。ＭＦは、最上位に位置するＤＦであり、ＭＦには１又は複数のＤＦが属し、また各ＤＦには１又は複数のＥＦが属する。これらＭＦ、ＤＦ、ＥＦには、１又は複数のデータオブジェクトが格納される。データオブジェクトは、値領域の種別を示す種別情報（タグ値）、値領域のデータ長を示すデータ長情報（レングス）、及び値領域（バリュー）により構成される。
【００２３】
図４は、ＩＣカード２のデータメモリ２０５に記憶されるファイル構成の一例を示す図である。図４に示すように、例えば、ＭＦは、ＤＦ１、ＤＦ２を含み、ＤＦ１は、ＥＦ１、ＥＦ２、ＥＦ３、ＥＦ４等を含み、ＥＦ１はＥＦ１−１を含み、ＥＦ２はＥＦ２−１を含み、ＥＦ３はＥＦ３−１を含む。例えば、ＥＦ１は、アレルギーの有無を示す情報を格納し、ＥＦ１−１は、ＥＦ１の情報に基づき服用が制限される医薬品のリスト（第１の医薬品リスト）を示す情報を格納する。ＥＦ２は、薬の副作用歴の有無を示す情報を格納し、ＥＦ２−１は、ＥＦ２の情報に基づき服用が制限される医薬品のリスト（第２の医薬品リスト）を示す情報を格納する。ＥＦ３は、過去の病歴を示す情報を格納し、ＥＦ３−１は、ＥＦ３の情報に基づき服用が制限される医薬品のリスト（第３の医薬品リスト）を示す情報を格納する。ＥＦ４は、かかりつけ医薬局に関する情報、ジェネリック医薬品の優先利用の有無を示す情報、処方箋に従って調剤された処方薬に関する情報（処方日、薬品名、処方量、服用情報他）を格納する。また、処方箋に従って調剤された処方薬が２種類ある場合には、２種類の処方薬に関する情報を格納する。例えば、処方薬に関する情報（処方薬情報）は、医薬品名、服用開始日、服用期間、服用間隔（服用時刻）、服用量（総服用量及び１回あたりの服用量）等の情報を含む。なお、端末１のキーボード１３等を介して、薬剤師等が処方薬情報を入力することに対応して、リーダライタ１４がＩＣカード２に対して処方薬情報を書き込み、これにより、ＥＦ４に処方薬情報が格納される。
【００２４】
ＤＦ２は、ＥＦ２１を含み、ＥＦ２１は連絡先情報（メールアドレス等）を含む。
【００２５】
図５は、端末１によるＩＣカード２の読取り処理の一例を示す図である。例えば、薬剤師や看護師等の医療関係者が、医療機関や薬局に設置される端末１のリーダライタ１４に、ＩＣカード２をかざすと（ＳＴ５０１）、リーダライタ１４は、ＩＣカード２に格納された情報を読み取り、制御部１１は読み取った情報に基づき各種判別処理を実行する。例えば、制御部１１は、ＥＦ４から読み取ったジェネリック医薬品の優先利用の有無を示す情報に基づき、ジェネリック医薬品の優先利用の有無を判定する（ＳＴ５０２）。また、制御部１１は、ＥＦ１（ＥＦ１−１を含む）から読み取ったアレルギーの有無を示す情報に基づき、アレルギーの有無について判定する（ＳＴ５０３）。また、制御部１１は、ＥＦ２（ＥＦ２−１を含む）から読み取った薬の副作用歴の有無を示す情報に基づき、薬の副作用歴の有無について判定する（ＳＴ５０４）。また、制御部１１は、ＥＦ３（ＥＦ３−１を含む）から読み取った過去の病歴を示す情報に基づき、過去の病歴の有無について判定（確認）する（ＳＴ５０５）。
【００２６】
制御部１１は、ジェネリック医薬品の優先利用の有無判定結果に応じた案内の表示を制御し、ディスプレイ１２は、これに対応して、ジェネリック医薬品の優先利用の有無を示す情報を表示する（ＳＴ５０７）。さらに、制御部１１は、上記の判定処理及びＥＦ１−１、ＥＦ２−１、ＥＦ３−１に含まれる情報に基づき、服用が制限される医薬品のリストを生成し（ＳＴ５０６）、ディスプレイ１２は、服用が制限される医薬品のリストを表示する（ＳＴ５０７）。例えば、アレルギー有り、薬の副作用歴無し、病歴無しの場合には、アレルギーが有ること及び第１の医薬品リストを表示する（図６Ａ）。アレルギー無し、薬の副作用歴有り、病歴無しの場合には、第２の医薬品リストを表示する。アレルギー無し、薬の副作用歴無し、病歴有りの場合には、第３の医薬品リストを表示する。アレルギー有り、薬の副作用歴有り、病歴無しの場合には、第１及び第２の医薬品リストに基づき重複する医薬品を１つにまとめたリストを生成し表示する。アレルギー有り、薬の副作用歴有り、病歴有りの場合には、第１、第２、及び第３の医薬品リストに基づき重複する医薬品を１つにまとめたリストを生成し表示する（図６Ｂ）。なお、ジェネリック医薬品の優先利用が指定されている場合には、検索対象にジェネリック医薬品を含めることとする。また、服用が制限される医薬品リストは、ＩＣカード２から取得することに限定されるものではなく、外部サーバ等から受信するようにしてもよい。
【００２７】
ジェネリック医薬品の優先利用の有無を示す情報、服用が制限される医薬品のリストが表示された後、医療関係者は、処方箋に従って調剤された処方薬に関する情報（処方薬情報）を入力する。制御部１１は、入力された処方薬情報により示される処方薬が、表示された服用制限医薬品のリストに含まれると判定した場合には、警告情報の出力を制御し、ディスプレイ１２は警告メッセージを表示する。これにより、処方薬がアレルギー対象に該当する場合、副作用歴に該当する場合、病歴に影響する場合には、警告メッセージが表示されることになる。これにより、薬副作用や飲み合わせのリスクを低減することができる。利用者の希望でジェネリック医薬品を進んで利用する場合には、薬剤師に対して優先的にジェネリック医薬品を処方するよう、ディスプレイ１２にメッセージを表示する。
【００２８】
次に、端末１、ＩＣカード２、サーバ３、及び情報出力端末４による医薬品の服用情報の出力制御について説明する。
【００２９】
例えば、薬剤師等の医療関係者は、ディスプレイ１２の表示に基づき、ジェネリック医薬品の優先利用の有無、及び服用制限医薬品のリストを確認し、処方薬を準備し、キーボード１３を介して処方薬に関する情報（例えば１種類の処方薬がある場合には第１の処方薬情報、２種類の処方薬がある場合には第１の処方薬情報と第２の処方薬情報）を入力する。リーダライタ１４は、入力された処方薬情報をＩＣカード２へ書き込む。また、制御部１１は、ＩＣカード２のＤＦ２（ＤＦ２１を含む）から読み取った連絡先情報（メールアドレス等）を宛先とするメールを送信する。メールは、処方薬情報を含む。サーバ３は、端末１からのメールを受信し、宛先に基づきメールを送信し、例えば、情報出力端末４は、サーバ３を介して、端末１からのメールを受信する。
【００３０】
例えば、事前に、情報出力端末４の通信部４３は、サーバ３から服用情報出力アプリケーションをダウンロードし、記憶部４２が服用情報出力アプリケーションを記憶する。制御部４１が、服用情報出力アプリケーションを実行すると、服用情報出力アプリケーションは、受信したメールに含まれる処方薬情報に基づき処方薬の服用案内を出力（表示）する。
【００３１】
例えば、情報出力端末４（服用情報出力アプリケーション）は、第１の処方薬情報に含まれる第１の服用情報に基づき服用案内を出力（表示）し、第２の処方薬情報に含まれる第２の服用情報に基づき服用情報を出力（表示）する。つまり、服用情報出力アプリケーションは、第１の処方薬情報に含まれた服用開始日情報（例えば２０１４／７／１）、服用期間情報（例えば３日間）、及び服用時刻情報（例えば７：３０、１９：３０）と現在日時情報との比較に基づき、第１の服用案内の出力タイミングを制御し、さらに、第２の処方薬情報に含まれた服用開始日情報（例えば２０１４／７／１）、服用期間情報（例えば５日間）、及び服用時刻情報（例えば７：３０、１２：３０、１９：３０）と現在日時情報との比較に基づき、第２の服用案内の出力タイミングを制御する。
【００３２】
例えば、服用情報出力アプリケーションは、現在日時が２０１４／７／１＿７：３０になると、１回目（初回）の第１の処方薬品と１回目（初回）の第２の処方薬品の服用の案内情報の出力を指示し、表示部４４は、第１の処方薬品名及び１回あたりの服用量、及び第２の処方薬品名及び１回あたりの服用量を表示するとともに、これら第１及び第２の処方薬品の服用を促す案内を表示し（例えば「朝食後に薬Ａを２錠、薬Ｂを１包み服用下さい」を表示するとともに）、スピーカ４５が、音声でもその旨を出力する。
【００３３】
次に、服用情報出力アプリケーションは、現在日時が２０１４／７／１＿１２：３０になると、２回目の第２の処方薬品の服用の案内情報の出力を指示し、表示部４４は、第２の処方薬品名及び１回あたりの服用量を表示するとともに、この第２の処方薬品の服用を促す案内を表示し（例えば図７に示すように「昼食後に薬Ａを２錠服用下さい」を表示するとともに）、スピーカ４５が、音声でもその旨を出力する。
【００３４】
次に、服用情報出力アプリケーションは、現在日時が２０１４／７／１＿１９：３０になると、２回目の第１の処方薬品の服用と３回目の第２の処方薬品の服用の案内情報の出力を指示し、表示部４４は、第１の処方薬品名及び１回あたりの服用量、及び第２の処方薬品名及び１回あたりの服用量を表示するとともに、これら第１及び第２の処方薬品の服用を促す案内を表示し（例えば図７に示すように「夕食後に薬Ａを２錠、薬Ｂを１包み服用下さい」を表示するとともに）、スピーカ４５が、音声でもその旨を出力する。
【００３５】
上記を繰り返し、服用情報出力アプリケーションは、現在日時が２０１４／７／３＿１９：３０になると、６回目（最終回）の第１の処方薬の服用と９回目の第２の処方薬の服用の案内情報の出力を指示し、表示部４４は、第１の処方薬品名及び１回あたりの服用量、及び第２の処方薬品名及び１回あたりの服用量を表示するとともに、これら第１及び第２の処方薬品の服用を促す案内を表示し、スピーカ４５が、音声でもその旨を出力する。
【００３６】
上記を繰り返し、服用情報出力アプリケーションは、現在日時が２０１４／７／５＿１９：３０になると、１５回目（最終回）の第２の処方薬品の服用の案内情報の出力を指示し、表示部４４は、第２の処方薬品名及び１回あたりの服用量を表示するとともに、この第２の処方薬品の服用を促す案内を表示し、スピーカ４５が、音声でもその旨を出力する。
【００３７】
以上により、服用者等が情報出力端末４を所持するケースでは、服用者等に対して、指定された時間での服用を通知することができ、また、指定された１回あたりの服用分量を通知することができる。また、上記のように、複数の処方薬品を同時期に服用するケースにおいて、服用忘れや服用間違えを防止するのに有効である。また、看護師等が情報出力端末４を所持するケースでは、看護師等に対して、上記の服用情報を通知することができる。これにより、複数の処方薬品を同時期に患者に投与するケースにおいて、投与忘れや投与の間違えを防止するのに有効である。さらに、患者をＩＤで識別管理することにより（ＩＣカード２のデータメモリ１４４に患者別のＩＤを保存することにより）、ＩＤを含むメールを送受信することとし、情報出力端末４においてＩＤで識別表示された情報通知を可能とすることもできる。
【００３８】
また、上記説明では、情報出力端末４がスマートフォン又はタブレットＰＣ等であるケースについて説明したが、情報出力端末４が冷蔵庫等の家電の一部機能であってもよい。これにより、目につきやすい冷蔵庫等での情報通知が可能となり、服用者本人以外でも情報通知を知ることができ、服用者本人が高齢者や幼児等の場合に有効である。
【００３９】
なお、端末１及び情報出力端末４での処理の全ての手順はソフトウェアによって実行することが可能である。このため、上記処理の手順を実行するプログラムを格納したコンピュータ読み取り可能な記憶媒体を通じてこのプログラムを端末１及び情報出力端末４へインストールして実行するだけで、上記処理を容易に実現することができる。例えば、端末１及び情報出力端末４は、上記プログラムをネットワーク経由でダウンロードし、ダウンロードしたプログラムを記憶し、プログラムのインストールを完了することができる。或いは、端末１及び情報出力端末４は、上記プログラムを情報記憶媒体から読み取り、読み取ったプログラムを記憶し、プログラムのインストールを完了することができる。
【００４０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４１】
１…端末、２…ＩＣカード、３…サーバ、４…情報出力端末
【図１】
2016031676.tif 000003
【図２】
2016031676.tif 000004
【図３】
2016031676.tif 000005
【図４】
2016031676.tif 000006
【図５】
2016031676.tif 000007
【図６Ａ】
2016031676.tif 000008
【図６Ｂ】
2016031676.tif 000009
【図７】
2016031676.tif 000010